(57)【要約】【課題】ショーケース本体の前方下部に発生するコールドアイルを確実に解消することができるとともに、熱負荷の低減を図ることのできるオープンショーケースを提供する。【解決手段】ショーケース本体１０の前面開口部から前方下部に漏洩した冷気を第３の通風路４０内に吸入することにより、ショーケース本体１０の前方下部に発生するコールドアイルＣを解消することができる。この場合、内側が外側よりも順次温度の低くなる計３重の第１乃至第３のエアカーテンＡ1 ,Ａ2 ,Ａ3 を形成するようにしたので、第２のエアカーテンＡ2 と第３のエアカーテンＡ3 との温度差を小さくすることができる。特に、第３のエアカーテンＡ3 はショーケース本体１０の前方下部に漏洩した冷気を第３の通風路４０から吐出することによって形成されるので、第３のエアカーテンＡ3 の温度を低くすることができる。【選択図】図１
2005134059.tif 000002
【特許請求の範囲】
【請求項１】
前面を開口したショ−ケ−ス本体と、ショ−ケ−ス本体の上面、背面及び底面に沿って形成された第１の通風路と、ショ−ケ−ス本体の上面、背面及び底面に沿って第１の通風路の外側に形成された第２の通風路と、第１の通風路内に配置された冷却器とを備え、冷却器によって冷却された第１の通風路の空気をショーケース本体の前面開口部の上端側から吐出し、前面開口部の下端側から吸入することにより、ショーケース本体の前面開口部に第１のエアカーテンを形成するとともに、第２の通風路の空気をショーケース本体の前面開口部の上端側から吐出し、前面開口部の下端側から吸入することにより、第１のエアカーテンの外側に第２のエアカーテンを形成するようにしたオープンショーケースにおいて、
前記ショ−ケ−ス本体の前方下部から空気を吸入し、ショーケース本体の前面開口部の上端側から吐出することにより、第２のエアカーテンの外側に第３のエアカーテンを形成する第３の通風路を備えた
ことを特徴とするオープンショーケース。
【請求項２】
前記第３の通風路をショ−ケ−ス本体の上面及び背面に沿って形成し、ショ−ケ−ス本体の前方下部の空気をショ−ケ−ス本体の下部空間を介して第３の通風路の背面側に吸入するように構成した
ことを特徴とする請求項１または２記載のオープンショーケース。
【請求項３】
前記ショ−ケ−ス本体の天板によって第３の通風路の上面側を覆うとともに、天板とは別体に形成された背面板によって第３の通風路の背面側を覆うように構成した
ことを特徴とする請求項１、２または３記載のオープンショーケース。
【発明の詳細な説明】
【技術分野】
【０００１】
本発明は、例えば冷凍または冷蔵食品等を陳列するオープンショーケースに関するものである。
【背景技術】
【０００２】
従来、この種のオープンショーケースとしては、前面を開口したショ−ケ−ス本体と、ショ−ケ−ス本体の上面、背面及び底面に沿って形成された第１の通風路と、ショ−ケ−ス本体の上面、背面及び底面に沿って第１の通風路の外側に形成された第２の通風路と、第１の通風路内に配置された冷却器とを備え、冷却器によって冷却された第１の通風路の空気をショーケース本体の前面開口部の上端側に設けた空気吐出口から吐出し、前面開口部の下端側に設けた空気吸入口から吸入することにより、ショーケース本体の前面開口部に内側エアカーテンを形成するとともに、第２の通風路の空気をショーケース本体の前面開口部の上端側に設けた空気吐出口から吐出し、前面開口部の下端側に設けた空気吸入口から吸入することにより、内側エアカーテンの外側に外側エアカーテンを形成するようにしたものが知られている（例えば、特許文献１参照。）。
【０００３】
ところで、ショーケース本体の前面開口部にエアカーテンを形成する場合、ショーケース本体の前面開口部から漏洩した冷気がショーケース本体の前方下部に滞留する、いわゆるコールドアイルが発生し、ショーケースの前方に立つ買い物客や店員に不快感を与えるという問題がある。
【０００４】
そこで、前記ショーケースでは、第２の通風路の空気吸入口からショーケース本体の前方下部の空気を吸入することにより、コールドアイルの解消を図るようにしている。
【特許文献１】特公昭５７−５８９２９号公報
【発明の開示】
【発明が解決しようとする課題】
【０００５】
しかしながら、前記ショーケースでは、第２の通風路の空気吸入口からショーケース本体の前方下部の外部空気を吸入するようにしているため、第２の通風路から吐出される外側エアカーテンと、冷却器で冷却される内側エアカーテンとの温度差が大きくなり、外側エアカーテンの空気がショーケース本体内に侵入して熱負荷を増大させるという問題点があった。特に、前記ショーケースでは、第２の通風路に吸入した空気の一部をショーケース本体の上方に排出するとともに、ショーケース本体の上方の空気を新たに第２の通風路に吸入してショーケース本体の前面開口部に吐出するようにしているため、第２の通風路から吐出される外側エアカーテンにはショーケース本体の上方の温度の高い空気が混入し、内側エアカーテンとの温度差が大きくなり易いものとなっている。
【０００６】
本発明は前記問題点に鑑みてなされたものであり、その目的とするところは、ショーケース本体の前方下部に発生するコールドアイルを確実に解消することができるとともに、熱負荷の低減を図ることのできるオープンショーケースを提供することにある。
【課題を解決するための手段】
【０００７】
本発明は前記目的を達成するために、前面を開口したショ−ケ−ス本体と、ショ−ケ−ス本体の上面、背面及び底面に沿って形成された第１の通風路と、ショ−ケ−ス本体の上面、背面及び底面に沿って第１の通風路の外側に形成された第２の通風路と、第１の通風路内に配置された冷却器とを備え、冷却器によって冷却された第１の通風路の空気をショーケース本体の前面開口部の上端側から吐出し、前面開口部の下端側から吸入することにより、ショーケース本体の前面開口部に第１のエアカーテンを形成するとともに、第２の通風路の空気をショーケース本体の前面開口部の上端側から吐出し、前面開口部の下端側から吸入することにより、第１のエアカーテンの外側に第２のエアカーテンを形成するようにしたオープンショーケースにおいて、前記ショ−ケ−ス本体の前方下部から空気を吸入し、ショーケース本体の前面開口部の上端側から吐出することにより、第２のエアカーテンの外側に第３のエアカーテンを形成する第３の通風路を備えている。  これにより、ショーケース本体の前面開口部から前方下部に漏洩した冷気が第３の通風路内に吸入されることから、ショーケース本体の前方下部に発生するコールドアイルが解消される。この場合、冷却器によって冷却される温度の低い第１のエアカーテンの外側に第１のエアカーテンよりも温度の高い第２のエアカーテンが形成され、更に第２のエアカーテンの外側に第２のエアカーテンよりも温度の高い第３のエアカーテンが形成されることから、第２のエアカーテンと第３のエアカーテンとの温度差が小さくなる。特に、第３のエアカーテンはショーケース本体の前方下部に漏洩した冷気を第３の通風路から吐出することによって形成されることから、第３のエアカーテンの温度が低くなり、第２のエアカーテンとの温度差がより一層小さくなる。
【発明の効果】
【０００８】
本発明によれば、ショーケース本体の前方下部に発生するコールドアイルを確実に解消することができるとともに、熱負荷の低減を図ることができるので、省エネルギー化に極めて有利である。
【発明を実施するための最良の形態】
【０００９】
図１及び図２は本発明の一実施形態を示すものであり、図１はオープンショーケースの側面断面図、図２は第３の通風路を形成する天板及び背面板の分解斜視図である。
【００１０】
このオープンショーケースは、前面を開口したショーケース本体１０と、ショーケース本体１０の上面、背面及び底面に沿って形成された第１の通風路２０と、ショーケース本体１０の上面、背面及び底面に沿って第１の通風路２０の外側に形成された第２の通風路３０と、ショーケース本体１０の上面及び背面に沿って第２の通風路３０の外側に形成された第３の通風路４０とを備えている。
【００１１】
ショーケース本体１０は、その上面、背面及び底面に沿って形成された内側断熱壁１１と、内側断熱壁１１と間隔をおいてその外側を覆うように形成された外側断熱壁１２と、内側断熱壁１１と間隔をおいてその内側を覆うように形成された内面板１３と、外側断熱壁１２の上面と間隔をおいてその上方を覆う天板１４と、ショーケース本体１０の両側面を覆う側板１５と、ショーケース本体１０の背面と間隔をおいてその後方を覆う背面板１６とを備え、ショーケース本体１０内には複数の商品棚１７が互いに上下方向に間隔をおいて設けられている。また、外側断熱壁１２の底面側とショーケース本体１０の下面との間には、図示しない排水管や電装機器等が配置される下部空間１８が形成され、下部空間１８の前面側は化粧板１９によって覆われている。
【００１２】
第１の通風路２０は内側断熱壁１１と内面板１３との間に形成され、その底面側には送風機２１が設けられている。また、第１の通風路２０の背面側には冷却器２２が設けられ、冷却器２２はショーケース本体１０の外部に配置された図示しない冷凍機器に接続されている。ショーケース本体１０の前面開口部の上端側には第１の通風路２０の上面側に連通する空気吹出口２０ａが下方に向かって開口するように設けられ、空気吹出口２０ａにはハニカム状の整流格子２３が取付けられている。また、ショーケース本体１０の前面開口部の下端側には第１の通風路２０の底面側に連通する空気吸入口２０ｂが上方に向かって開口するように設けられている。
【００１３】
第２の通風路３０は内側断熱壁１１と外側断熱壁１２との間に形成され、その底面側には送風機３１が設けられている。ショーケース本体１０の前面開口部の上端側には第２の通風路３０の上面側に連通する空気吹出口３０ａが下方に向かって開口するように設けられ、空気吹出口３０ａにはハニカム状の整流格子３２が取付けられている。また、ショーケース本体１０の前面開口部の下端側には第２の通風路３０の底面側に連通する空気吸入口３０ｂが上方に向かって開口するように設けられている。
【００１４】
第３の通風路４０は、その上面側を外側断熱壁１１の上面と天板１４との間に形成されるとともに、その背面側を外側断熱壁１１の背面と背面板１６との間に形成され、その上面側には送風機４１が設けられている。ショーケース本体１０の前面開口部の上端側には第３の通風路４０の上面側に連通する空気吹出口４０ａが下方に向かって開口するように設けられ、空気吹出口４０ａにはハニカム状の整流格子４２が取付けられている。
【００１５】
天板１４の後端側は外側断熱壁１１の後端よりも前方の位置まで延びており、天板１４の後端側には下方に向かって延びる折曲部１４ａが設けられている。折曲部１４ａには送風機４１が取付けられる複数の取付孔１４ｂが設けられ、各取付孔１４ｂは互いに幅方向に間隔をおいて配置されている。
【００１６】
背面板１６の上端側には前方に向かって延びる第１の折曲部１６ａが設けられ、第１の折曲部１６ａの前端は天板１４にネジ止めによって連結されている。これにより、第３の通風路４０の背面側は、天板１４の折曲部１４ａの各取付孔１４ｂを介して第３の通風路４０の上面側に連通している。背面板１６の左右両端側には前方に向かって延びる第２の折曲部１６ｂが設けられ、各第２の折曲部１６ｂの前端は外側断熱壁１１にネジ止めによって連結されている。また、背面板１６の下端側はショーケース本体１０の下部空間１８の背面側まで延びており、第３の通風路４０の背面側は下部空間１８の後方に連通している。
【００１７】
以上のように構成されたオープンショーケースにおいては、第１の通風路２０の送風機２１によって空気吸入口２０ｂから吸入された空気が第１の通風路２０内の冷却器２２によって冷却された後、空気吐出口２０ａから吐出される。また、第２の通風路３０の送風機３１によって空気吸入口３０ｂから吸入された空気は第２の通風路３０内を流通し、空気吐出口３０ａから吐出される。更に、第３の通風路４０には送風機４１によってショーケース本体１０の前方下部の空気が吸入され、第３の通風路４０内を流通して空気吐出口４０ａから吐出される。その際、ショーケース本体１０の前方下部の空気は、例えば化粧板１９とショーケース本体１０との隙間を介して下部空間１８内に流入し、下部空間１８内を流通して第３の通風路４０の背面側に吸入される。また、第３の通風路４０からショーケース本体１０の前面開口部に吐出された空気は、ショーケース本体１０の前面下部に沿って下部空間１８の前面側に吸入される。
【００１８】
前述のように各通風路２０，３０，４０から吐出する空気により、内側が外側よりも順次温度の低くなる計３重の第１乃至第３のエアカーテンＡ1 ,Ａ2 ,Ａ3 が形成される。例えば、冷蔵ショーケースの場合、第１のエアカーテンＡ1 の温度は約−３０℃、第２のエアカーテンＡ2 の温度は約５℃、第３のエアカーテンＡ3 の温度は約１５℃となる。
【００１９】
このように、本実施形態のオープンショーケースによれば、ショ−ケ−ス本体１０の前方下部の空気を吸入する第３の通風路４０を備えているので、ショーケース本体１０の前面開口部から前方下部に漏洩した冷気を第３の通風路４０内に吸入することができ、ショーケース本体１０の前方下部に発生するコールドアイルＣを確実に解消することができる。
【００２０】
この場合、冷却器２２によって冷却される温度の低い第１のエアカーテンＡ1 の外側に第１のエアカーテンＡ1 よりも温度の高い第２のエアカーテンＡ2 を形成し、更に第２のエアカーテンＡ2 の外側に第２のエアカーテンＡ2 よりも温度の高い第３のエアカーテンＡ3 を形成するようにしたので、第２のエアカーテンＡ2 と第３のエアカーテンＡ3 との温度差を小さくすることができ、第３のエアカーテンＡ3 から第２のエアカーテンＡ2 に侵入する熱を少なくすることができる。特に、第３のエアカーテンＡ3 はショーケース本体１０の前方下部に漏洩した冷気を第３の通風路４０から吐出することによって形成されるので、第３のエアカーテンＡ3 の温度を低くすることができ、第２のエアカーテンＡ2 との温度差をより一層小さくすることができる。これにより、熱負荷を確実に低減することができ、省エネルギー化に極めて有利である。
【００２１】
また、ショーケース本体１０の前方下部の空気をショーケース本体１０の下部空間１８を介して第３の通風路４０の背面側に吸入するようにしたので、ショーケース本体１０の底面側に第３の通風路４０に連通する専用の通風路を設ける必要がなく、構造の簡素化を図ることができる。
【００２２】
この場合、天板１４とは別体に構成された背面板１６をショーケース本体１０の背面側に取付けることにより第３の通風路４０の背面側を形成するようにしたので、例えば天板１４によって第３の通風路４０の上面側のみを形成してショーケース本体１０の上方の空気を第３の通風路４０に吸入するように構成した従来品においても、ショーケース本体１０に背面板１６を取付けるだけで本実施形態のオープンショーケースを構成することができる。これにより、従来品の設計変更が不要になるとともに、既に店舗等に設置されている製品の流用も可能となる。
【図面の簡単な説明】
【００２３】
【図１】本発明の一実施形態を示すオープンショーケースの側面断面図
【図２】第３の通風路を形成する天板及び背面板の分解斜視図
【符号の説明】
【００２４】
１０…ショーケース本体、１４…天板、１６…背面板、１８…下部空間、２０…第１の通風路、２２…冷却器、３０…第２の通風路、４０…第３の通風路、Ａ1 …第１のエアカーテン、Ａ2 …第２のエアカーテン、Ａ3 …第３のエアカーテン。
【図１】
2005134059.tif 000003
【図２】
2005134059.tif 000004